(57)【要約】【課題】男女兼用下着として長時間の自動車の運転やオフィスの仕事での長時間の着席時の際、大殿筋の範囲に及ぶ、尾骨部分、坐骨部分、股関節、大転子部分の痛みや疲れ、また痔などの痛みなどをやわらげ、さらに伸縮素材からなる衣類であり、しなやかな感触や肌触りの良さ、快適性に優れ、保温性などの効果などを考慮し美しいヒップラインを保ちながら、従来の男女兼用下着より爽快感を提供することを目的としている。【解決手段】人体の臀部にフィットさせて着用する伸縮性生地からなる衣類であって、前記衣類は弾力性のある素材からなるプレート状物を、ほぼ大殿筋の範囲である仙骨を中心として尾骨部分から坐骨部分より股関節及び大転子部分に相当する位置に設けられ、前記プレート状物が、前記衣類の内側の曲面に沿って付設したポケットに出入自在としたことを特徴とする男女兼用下着。【選択図】図１２
2006283265.tif 000002
【特許請求の範囲】
【請求項１】
人体の臀部にフィットさせて着用する伸縮性生地からなる衣類であって、前記衣類は弾力性のある素材からなるプレート状物を、ほぼ大殿筋の範囲である仙骨を中心として尾骨部分と坐骨部分より股関節及び小転子と大転子部分に相当する位置に設けられたことを特徴とする男女兼用下着。
【請求項２】
請求項１記載の男女兼用下着において、前記プレート状物が、前記衣類の内側の曲面に沿って付設したポケットに出入自在としたことを特徴とする男女兼用下着。
【請求項３】
請求項１又は２記載の男女兼用下着において、前記伸縮性生地からなる衣類の素材が、天然繊維である綿繊維、動物繊維である絹繊維、化学繊維であるレーヨン繊維、ポリウレタン繊維、キュプラ繊維、マイクロファイバー極細繊維、ナイロン繊維、ポリエステル繊維、アクリル繊維、半合成繊維であるアセテート繊維のいずれかの繊維を単体または、組み合わせで形成された布からなる素材を用いたことを特徴とする男女兼用下着。
【発明の詳細な説明】
【技術分野】
【０００１】
本発明は各種の男女兼用下着に関するものである。さらに詳しくは、人体のほぼ大殿筋の範囲である仙骨を中心として尾骨部分と坐骨部分より股関節及び小転子と大転子部分に相当する位置に必要以上の圧力が加わることを防ぎ、伸縮性生地からなる衣類であって、履き心地の良い肌触り、しなやかな感触、保温効果の向上などの効果を有する下着に関するものである。
【背景技術】
【０００２】
最近の下着の素材は、セルロースエステルまたはセルロースの風合いを有するポリエステル系超極細繊維などが用いられている。（例えば、特許文献１参照）に開示された、セルロースエステルの可塑剤をセルロースエステルに対して、１５〜３５％含有するセルロースエステル３０〜９０重量％と、ポリエステル７０〜１０重量％とを成分とする繊維集合体となる素材などがある。
【０００３】
又、レーヨン、（例えば、ビスコースレーヨン）キュプラ、（例えば、ベンベルグ、登録商標、旭化成）リヨセル、（例えば、テンセル、登録商標、コートルズ社）の混紡繊維を使用して編物（ニット）よこ編で編んだものをベア天竺（例えば、ＪＩＳＬ０２１１−３−８）という製法がある。更に、横と縦に伸びる超極細繊維を用いて、トリコット経編機によって編成される編物２ウェイトリコット繊維なども数多く用いられている。
【０００４】
一般に従来の女性用下着としてはファッション性やデザイン性を目的とし、形式の種類や布地素材の組み合わせは多種多様である。またガードルタイプやショーツタイプは、腹部や臀部の形を補正し、起立時や歩行時などに有力的な効力を発揮する種類がほとんどである。更に臀部に保温性、吸湿性を有する適宜材質の布地を用いて縫製されているものがある。
【０００５】
従来の男性用下着は、綿やポリエステル繊維の混紡繊維などが主である。また、最近の男性用下着としては、ナイロン繊維、ポリウレタン繊維、ポリエステル繊維など、一部スポーツやファッション用途などの下着用として機能性や操作性に優れた布地素材として利用されている。又、通気性がよく、放熱性に優れ、ブリーフとトランクスのそれぞれの長所を兼ね備えることができ実用的で、かつ伸縮性に富み、身体にピッタリとフィットする男性用パンツが提案されている。
【０００６】
まず、（例えば特許文献２参照）に開示された、ガードルは、腹部及びヒップ部を覆うパンティ部と太股を覆う筒状のレッグ部とから構成され、上記パンティ部によって腹部を押えるとともにヒップ部を持ち上げるようにしたガードルで、着席時に、あらかじめレッグ部をパンティ部に対して２０度〜６５度の角度に曲げ、苦痛を与えない事を特徴とするガードルが提案されている。
【０００７】
又、（例えば特許文献３参照）に開示された、ショーツは、着席時に臀部を効率的に保温できるように後身頃の臀部を生地の増し厚による保温部に形成し、裾の位置を標準型のショーツの位置より下方に延長した、臀部保温型ショーツが提案されている。
【０００８】
更に、（例えば特許文献４参照）に開示された、衝撃吸収パッドおよびそれを装着した衣類は、転倒時の衝撃や骨折を防止することができ、弾性を有するプレート状の合成樹脂を、発泡ポリウレタン軟質フォームと低反発ポリウレタンフォームを二重構造に構成し、衣類に収納ポケットが設けてあり、衝撃吸収パッドを出し入れ自在に出来る衣類が提案されている。
【０００９】
そして、低反発ウレタンフォームは一般的に樹脂発泡体からなる枕、マット、シートなどに通気性を付与して涼感のある使用を可能とし、介護用品なども幅広く利用されている。（例えば、特許文献５参照）などを示すものが周知である。一般に低反発ウレタンの特徴は粘着性が体圧を均一に吸収し、分散する。体圧による形状を記憶することを特徴とする。 
【特許文献１】特開平１０−８８４２４号公報
【特許文献２】特開２０００−２３９９０２号公報
【特許文献３】特開２００２−１８０３０１号公報
【特許文献４】特開２００１−１２３３１１号公報
【特許文献５】特開平１１−０５６５５９号公報
【発明の開示】
【発明が解決しようとする課題】
【００１０】
しかしながら従来の男性用下着においては女性用下着の布地素材の種類の多さや、しなやかな肌触り、感触のよさ、デザインの豊富さに圧倒的に少なく、使用用途に応じた繊維や生地の種類が選べないのが現状である。これらの男性用パンツ、ブリーフ、トランクス等の通気性、放熱性、補正機能を有する被服は女性用下着の布地素材の種類が豊富であるのに対し、男性用下着の素材については選定の見直しがなされていない。更に人体の骨格と筋肉の働きによる範囲に注目してほぼ大殿筋の範囲である仙骨を中心として尾骨部分と坐骨部分より股関節及び小転子と大転子部分に相当する位置に必要以上の圧力が加わることを防ぐような男性用下着については、ほとんど検討されていない。
【００１１】
また、女性用下着の布地素材の種類は豊富であるが、人体の骨格と筋肉の作用に注目して、臀部の、ほぼ大殿筋の範囲である仙骨を中心として尾骨部分と坐骨部分より股関節及び小転子と大転子部に分相当する位置を保護し、またデスクワークで長時間の着席時による負担をやわらげ、痔などの痛みなどを考えた時を考慮して具体的に取り上げたものは見あたらない。
【００１２】
そこで、本発明は日常時の着用時に尾骨部分と坐骨部分の痛みや、痔の痛み、また股関節及び小転子と大転子の保護、さらに男性の下着に対する布地素材の種類の少なさなどの問題を解決し、上記のような点に鑑みて開発されたものであって、より快適な着心地や装着感、保温性、伸縮性、筋肉の補正効果によりヒップラインを美しく保つ男女兼用下着を提供する事を目的としている。
【課題を解決するための手段】
【００１３】
上記目的を有効に達成するために、この衣類はすなわち男女兼用下着であり、人体の臀部にフィットさせて着用する伸縮性生地からなる衣類であって、前記衣類は弾力性のある素材からなるプレート状物を、ほぼ大殿筋の範囲である仙骨を中心として尾骨部分と坐骨部分より股関節及び小転子と大転子部分に相当する位置に設けて、それぞれ左右部分が対、または分離させて衣類後側の臀部の曲部に必要以上の負荷がかかる部分をサポートしている男女兼用下着に係る。
【００１４】
尚、本発明では、人体の臀部にプレート状物をフィットさせる範囲を具体的に説明すると、前記人体の臀部にフィットさせるプレート状物はそれぞれ帯状の構成からなっており、大殿筋の範囲である尾骨部分と坐骨部分より股関節及び小転子と大転子部分の位置に一体の帯状にそれぞれ対のプレート状物を覆うような形成を用いる。更に、前記のプレート状物に大殿筋の中心部分である仙骨部分に沿って一体の帯状のプレート状物を覆い、連結させる構成も可能である。
【００１５】
又、大殿筋の全体を２枚のプレート状物で覆うような円形の形成を用いることも可能である。なお、プレート状物は臀部の曲面に沿って、やや窪んだように形成されており、人体の臀部にプレート状物をフィットさせる大殿筋の範囲である単体、又は、複数のプレート状物の構成は、楕円形型、長方形型、楔形型、Ｔ字型、曲線状などの構成でも可能である。尚、プレート状物の縦横の幅は個人の骨格や筋肉の位置、形、大きさは個体それぞれに応じて若干相違するので部位に応じて部分的に狭幅なったり、広幅になったりすることがあるのは何ら差し支えない。
【００１６】
更に、本発明では、衣類の内側に曲面に沿って付設したポケットが一体または分離させて形成し、ポケットにプレート状物を出入自在に挿入される形成を用いても可能である。またプレート状物の性質に合わせて、ポケットにプレート状物を収めて完全に縫合糸で縫着して用いても可能であり、プレート状物出入ポケットの縦横の幅は、プレート状物本体の縦横の幅に合わせて構成されるため、個人の骨格や筋肉の位置、形、大きさは個体それぞれに応じて若干相違するので部位に応じて部分的に狭幅になったり、広幅になったりすることがあるのは何ら差し支えない。
【００１７】
この発明に用いる弾力性のある素材からなるプレート状物には、例えば、ポリウレタン（ＰＵ）が使用できる。この素材は、ウレタン結合を有するポリマーの総称であり、ウレタン結合は、イソシアネート基（−Ｎ＝Ｃ＝Ｏ）と水酸基（Ｈ−Ｏ−）などの活性水素を有する化合物（触媒、発泡剤、整縫剤シリコーンオイル、着色剤、）との付加反応により生成される。したがって、このポリウレタンをベースとした、軟質フォームの一種である低反発ウレタンフォーム（ＥＧＲ−１２）硬度４９Ｎ、軟質ウレタンスポンジ（ＥＳＴ−ＣＳ）、低反発ウレタンフォーム（ＥＳＮ−２）硬度７０Ｎや低反発ウレタンフォーム（ＥＧＲ−２）硬度１８６Ｎ、のいずれかを単体か、または組み合わせて用いる。更に、低反発弾性ポリウレタンフォーム、ポリウレタンスポンジのいずれかを単体か、または組み合わせて用いる。尚、この発明に用いるポリウレタン（ＰＵ）の厚さは、１ｍｍ〜３０ｍｍのまでの範囲にあり、３０ｍｍ以上になると下着本体の形が崩れてしまい、更に人体のヒップラインも美しくフィットしないためである。又、反発弾性率とは（ＪＩＳＫ６４００−３）に基づき、１５％以下のものをいい、反発弾性率がそれ以上になると、体圧分散性と圧力加重かかってしまうため、逆に人体のおしりに負荷がかかる。
【００１８】
又、この発明に用いる弾力性のある素材からなるプレート状物の接着加工も使用できる。例えば、軟質ウレタンスポンジ（ＥＭＳ）の厚さ２ｍｍと軟質ウレタンスポンジ、（ＥＳＴ−ＣＳ）厚さ３ｍｍを接着させることにより、下着を外から見ると臀部の形が自然に見え、臀部の内側は柔らかな体圧分散効果が得られる。更にプレート状物はそれぞれ、用途に応じて厚み、素材を変更できる。例えば、軟質ウレタンスポンジ（ＥＭＳ）厚さ５ｍｍ単体を下着ポケットに装着してもよいし、低反発ポリウレタンフォーム（ＥＧＲ−１２）厚さ５ｍｍ単体でも良い。
【００１９】
更に、この発明に用いる弾力性のある素材からなるプレート状物は、シリコーン（Ｓｉ）も使用可能である。この素材は、珪素と酸素からなるシロキサン結合（≡Ｓｉ−Ｏ−Ｓｉ≡）を骨格とし、その珪素（Ｓｉ）にメチル（−ＣＨ３）を主体とする有機基が結合したものがシリコーンポリマー分子である。この素材は、オイル（液体）にも、エトラマー（ゴム）にも自由に形を変えることができる。また、無機質のシロキサン結合と有機質との結びつきにより、炭素−炭素結合を持つ有機化合物や、フッ素炭素とシリコーンを複合化した、シリコーンゴム製品、シリコーンオイル、シリコーンプラスチックやウレタンフォーム類の添加物などに生成されるシリコーンの総称である。したがってこのシリコーン（Ｓｉ）をベースとした、医療用コヒーシブシリコーン、エラストマー製品のフッ化炭素と複合化したフロロシリコーンゴム、オイルシリコーンのもつ界面特性を活かしたジェル状の素材にしたシリコーンのいずれかを単体でまたは組み合わせて用いることも出来る。尚、この発明に用いるシリコーン（Ｓｉ）の厚さは、１ｍｍ〜３０ｍｍのまでの範囲にある。
【００２０】
又、この発明ではプレート状物を衣類の内側に設けるために、ポケットを設け、プレート状物を出入可能とすることで、不使用時に衣類を別々に洗濯やメンテナンスすることができ、極めて有益であり、個人の要望に応じることが出来る。
【００２１】
この発明の伸縮性生地として、レーヨン繊維と、ポリウレタン繊維を布として混紡したものを使用することで、その作用は、伸縮性に優れ、化学繊維の中では最も吸湿性、放湿性があり、しなやかな肌触りを持たせることが出来る。又、ビスコースレーヨン繊維より強度が強く、木材パルプを使用した、天然素材である（テンセル、登録商標、コートルズ社）をポリウレタン繊維と混紡したものを使用することも可能である。
【００２２】
又、この発明の伸縮性生地とは、キュプラ繊維とポリウレタン繊維を布として混紡したものを使用することで、その作用は、伸縮性があり、放湿性に優れ摩擦度が少なく、すべりの良い肌触りとタイト感を持たせることが出来る。
【００２３】
更に、この発明の伸縮性生地とは、ナイロン繊維とキュプラ繊維とポリウレタン繊維を超極細繊維の、（例えば、マイクロファイバー２ウェイトリコット）編み、したものを使用することで、化学繊維の中では最も伸縮性に優れ、激しい運動でもフィット感を維持することも出来る。
【００２４】
この発明の伸縮性生地からなる衣類は、衣類の内側の曲面に沿って付設したポケット部分と伸縮性生地からなる衣類本体とが、生地の編み組織の切り替えによって一体化に形成できる。更に、（例えば、グンゼ社）のコンピュータ制御の編み機と呼ばれる装置で強緊締素材及び弱緊締素材の組み合わせを立体形成仕立ての筒状に編成して、縫い目を無くした衣類本体が一体に編成することも可能である。
【００２５】
又、伸縮性生地からなる衣類本体の組織はラッセル経編機によって編成される編物、トリコット経編機によって編成される編物、（例えば、スパンテックス、登録商標、旭化成）を成型編みによって編成される編物等であっても良い。
【００２６】
更に、伸縮性生地からなる衣類本体の組み合わせで形成された布からなる素材は、微細単繊維の（例えば、タクテル、登録商標、インビスタ社）ナイロン繊維ポリウレタン繊維の布として混紡したものを使用することが出来る。また、（例えば、ライクラ、登録商標、デュポン社）の綿繊維、ナイロン繊維、ポリエステル繊維、ポリウレタン繊維の布として混紡したものを使用することも出来る。
【００２７】
尚、この発明に関する男女兼用下着は、ショーツタイプとスパッツタイプに分類され、素材には色の種類が１２色以上とすることでユーザーのニーズにほとんど応えることが出来る。
【発明の効果】
【００２８】
以上のように、本発明によれば、下着本体の内側に、弾力性のある素材からなるプレート状物を用いて、ほぼ大殿筋の範囲である仙骨を中心として尾骨部分と坐骨部分より股関節及び小転子と大転子部分に相当する位置に設けているので、長時間の着席時も、おしりの痛みが少なく爽快な着心地であり、下着本体の素材を選定して使用することで、保温性、吸湿性、放湿性、しなやかな肌触りで、人体の筋肉によるヒップラインをフィットさせ美しく保持することができる。            
【発明を実施するための最良の形態】
【００２９】
以下本発明の実施の形態を説明する。
【００３０】
以下、図面を参照しながら、本発明の具体的実施の形態例について説明する。本発明では、男女兼用下着の下着本体の内側のどの部分に、弾力性のある素材からなるプレート状物が配置されているか位置の説明に身体の一部や筋肉や骨格相当部分の名称を使用している部分もあるので、これらの骨格や筋肉の位置、形、大きさは個体それぞれに応じて若干相違するので、上記筋肉ならびに骨格図は男性用、女性用係らず、代表例の一つとして示したものである。
【００３１】
次に、本発明の理解を容易にするために、図面を参照しながら、本発明の男性用下着の具体的実施の形態例について説明するが、本発明の男女兼用下着は、図示したもののみに限定されるものではない。
【実施例１】
【００３２】
図１〜図８に示す、本発明のスパッツタイプ１の実施例となる男女兼用下着に用いる伸縮性生地の身生地はレーヨン繊維９０％と、ポリウレタン繊維１０％からなる布を用いた。この混紡繊維の特徴は伸縮性に優れ、天然繊維及び化学繊維の中では最も吸湿性、放湿性があり、綿繊維のようにしなやかな肌触りを持たせることが出来る。また、図１及び図１１に示すように、スパッツタイプ１の下着本体９前面に男性の局部の圧迫感を防止するため、腹直筋３１と左右の外腹斜筋３２の境目に立体成型及び二重布１５を設け、強化ステッチライン１３で縫合した。
【００３３】
次に、図７〜図１０に示す、スパッツタイプ１の下着本体９の内側に、弾力性のある素材からなるプレート状物３を収納するために設ける、プレート状物収納箇所１０の形成範囲を具体的に説明する。先ず、左右分離型の帯状であり、仙骨部分２７を中心として、尾骨部分２３付近から、左右の坐骨部分２２に沿って、斜め上向き方向に、左右の股関節２５を通り、左右の小転子２６から、左右の大転子２４付近の範囲までを縫着箇所及び縫合ライン１２で縫着しており、又、左右の中心側面３３の縦幅が１０ｃｍ、左右の上辺３５の横幅は２２ｃｍ、左右の下辺３６の横幅は２６ｃｍ、左右の外側面３４の縦幅は７ｃｍの、それぞれ長さが異なる、左右分離型の弧状の四辺形である帯状の形成にした。
【００３４】
続いて、図４〜図１０に示す、スパッツタイプ１の下着本体９の内側に左右分離型のプレート状物収納箇所１０に収納するために用いる、弾力性のある素材からなるプレート状物３は、反発弾性率が１５％以下の左右分離型の低反発ウレタンフォーム（ＥＧＲ−１２）４を用いた。この低反発ウレタンフォーム（ＥＧＲ−１２）４の形体を具体的に説明すると、左右分離型の帯状であり、左右の中心側面３３の縦幅が９．５ｃｍ、左右の上辺３５の横幅は２１．５ｃｍ、左右の下辺３６の横幅は２５．５ｃｍ、左右の外側面３４の縦幅は６．５ｃｍにした。また厚さは、尾骨部分２３と左右の坐骨部分２２付近に接する箇所を７ｍｍ、左右の股関節２５付近に接する箇所を５ｍｍ、左右の小転子２６及び左右の大転子２４付近に接する箇所を３ｍｍの厚さの、それぞれ長さが異なる、左右分離型の弧状の四辺形である帯状の形体にした。
【００３５】
以上のように、図４〜図８に示す、左右の低反発ウレタンフォーム（ＥＧＲ−１２）４をスパッツタイプ１の下着本体９の内側に設けた、左右分離型のプレート状物収納箇所１０の、左右のプレート状物出入ポケット開閉口１１から挿入して、出し入れ自在に収納出来るようにした。更に、左右のプレート状物収納箇所１０の縫着した形成範囲の弧状の四辺形の広さより、左右の低反発ウレタンフォーム（ＥＧＲ−１２）４の形体の弧状の四辺形を５ｍｍ縮小して、左右の低反発ウレタンフォーム（ＥＧＲ−１２）４本体に、綿繊維９０％ポリウレタン繊維１０％の混紡繊維を用いて被覆して縫合し臀部に違和感をなくし、収納時にスパッツタイプ１の下着本体９のシルエットを崩さないようにした。
【００３６】
また、図６〜図８に示す、スパッツタイプ１の下着本体９の内側に設けた、左右のプレート状物収納箇所１０の裏生地の素材及び、左右のプレート状物出入ポケット開閉口１１の布の素材は、直接肌に当たるため、蒸れを防止して通気性を良くするために、（例えば、微細単繊維のタクテル、インビスタ社）ナイロン繊維９９％ポリウレタン繊維１％からなる布をメッシュ加工した混紡繊維を用いた。そして、左右のプレート状物出入ポケット開閉口１１の縫着は、肌に違和感のないように裏布地を折り返して縫着し、小型ファスナー１７を布設して、開閉出来るようにした。その他に、フック１８やマジックテープ（登録商標）１９またはスナップボタンなどの着脱手段を設けて、プレート状物出入ポケット開閉口１１を閉めるようにしても良い。
【００３７】
尚、図１〜図８に示す、本発明のスパッツタイプ１の実施例となる男女兼用下着に用いる下着本体９に設けた、左右のプレート状物収納箇所１０、左右のプレート状物出入ポケット開閉口１１、縫着箇所及び縫合ライン１２、強化ステッチライン１３、ウエストライン縫着ステッチ１４、立体成型及び二重布１５、折り返しステッチ１６の縫合される縫合糸はナイロン６縫糸とポリエステル紡績糸の伸縮加工糸を使用した。また、その他に、レーヨン縫糸や、ナイロン６６縫糸の伸縮加工糸なども使用しても良いし、その他の紡績糸も使用可能である。
【実施例２】
【００３８】
図１２〜図１９に示す、本発明のスパッツタイプ１の実施例となる男女兼用下着に用いる伸縮性生地の身生地はナイロン繊維６５％と、キュプラ繊維３０％と、ポリウレタン繊維５％からなる布を、トリコット経編機によって編成される、マイクロファイバー２ウェイトリコット編み（例えば、超極細繊維レオナアンフィニ、旭化成社）を用いた。この混紡繊維の特徴は化学繊維の中では最も伸縮性と保温性に優れている。また、図１２及び図２２に示すように、スパッツタイプ１の下着本体９前面に強化ステッチライン１３で、腹直筋３１と左右の外腹斜筋３２の境目の筋肉を引き締め、男性の局部の圧迫感を防止するため、立体成型及び二重布１５を設けた。
【００３９】
次に、図１３〜図２１に示す、スパッツタイプ１の下着本体９の内側に、弾力性のある素材からなるプレート状物３を収納するために設ける、プレート状物収納箇所１０の形成範囲を具体的に説明する。プレート状物収納箇所１０の形成範囲は、左右分離型の帯状と、単体型の帯状の二つの形成が連結されている。先ず、左右分離型の帯状の形成範囲は、仙骨部分２７を中心として、尾骨部分２３付近から、左右の坐骨部分２２に沿って、やや上向き方向に、左右の股関節２５を通り、左右の小転子２６と、左右の大転子２４付近の範囲までを、着箇所及び縫合ライン１２で縫着しており、又、左右の中心側面３３と、左右の外側面３４の縦幅が８ｃｍ、左右の上辺３５、左右の下辺３６の横幅は２１ｃｍにした、二辺の長さが異なる、左右分離型の斜方形である帯状の形成にした。
【００４０】
続いて、図１３〜図２１に示す、プレート状物収納箇所１０の単体型の帯状の形成範囲は尾骨部分２３付近から、左右のプレート状物収納箇所１０の形成範囲の位置である、左右の中心側面３３部分の間より、縫着箇所及び縫合ライン１２で連結させて、左右の大殿筋２０の間から、縦上方に仙骨部分２７に沿って、ウエストライン縫着ステッチ１４までを、縫着箇所及び縫合ライン１２で縫着して連結しており、また、図１８〜図２１に示す、下辺３６の横幅は５ｃｍ、仙骨部分２７に沿って、縦上方に延びた左右側面３７の縦幅は７．５ｃｍ、上辺３５の横幅は３ｃｍにした、三辺の長さが異なる、単体型の四辺形である帯状の形成にした。
【００４１】
そして、図１５〜図２１に示す、スパッツタイプ１の下着本体９の内側に形成された、左右分離型のプレート状物収納箇所１０に収納するために用いる、弾力性のある素材からなるプレート状物３は、反発弾性率が１５％以下の低反発ウレタンフォーム（ＥＧＲ−１２）４を用いた。この低反発ウレタンフォーム（ＥＧＲ−１２）４の形体を具体的に説明すると、左右分離型の帯状であり、左右の中心側面３３と左右の外側面３４の縦幅が８ｃｍ、左右の上辺３５と左右の下辺３６の横幅は２１ｃｍにして、厚さは、尾骨部分２３と左右の坐骨部分２２付近に接する箇所を５ｍｍ、左右の股関節２５付近に接する箇所を５ｍｍ、左右の小転子２６と、左右の大転子２４付近に接する箇所を、３ｍｍの厚さにした、二辺の長さが異なる、左右分離型の斜方形である帯状の形体にした。更に、左右分離型の低反発ウレタンフォーム（ＥＧＲ−１２）４本体に、ポリエステル繊維９０％ポリウレタン繊維１０％からなる布を用いて被覆して縫合し、左右の臀部に違和感のない肌触りにした、
【００４２】
次に、図１５〜図２１に示す、スパッツタイプ１の下着本体９の内側に形成された、単体型のプレート状物収納箇所１０に収納するために用いる、弾力性のある素材からなるプレート状物３は、軟質ウレタンスポンジ（ＥＳＴ−ＣＳ）７を用いた。この軟質ウレタンスポンジ（ＥＳＴ−ＣＳ）７の形体を具体的に説明すると、単体型の帯状であり、上辺３５の横幅は３ｃｍ、下辺３６の横幅は５ｃｍ、左右側面３７の縦幅は７ｃｍにして、厚さは、尾骨部分２３に接する箇所の下辺３６、左右の大殿筋２０部分の間を、縦上方に仙骨部分２７に沿って接する箇所の左右側面３７、ウエストライン縫着ステッチ１４付近までに接する箇所の上辺３５を同様の３ｍｍの厚さにした、三辺の長さが異なる、単体型の四辺形である帯状の形体にした。
【００４３】
続いて、図１３〜図１８に示す、左右分離型の低反発ウレタンフォーム（ＥＧＲ−１２）４を、スパッツタイプ１の下着本体９の内側に設けた、左右分離型のプレート状物収納箇所１０の、左右のプレート状物出入ポケット開閉口１１から挿入して、出し入れ自在に収納出来るようにした。次に、単体型の軟質ウレタンスポンジ（ＥＳＴ−ＣＳ）７を、スパッツタイプ１の下着本体９の内側に設けた、単体型のプレート状物収納箇所１０に挿入され、完全に縫着箇所及び縫合ライン１２で縫着した。尚、スパッツタイプ１の下着本体９の内側に設けた、裏生地の左右分離型のプレート状物収納箇所１０の布の素材及び、単体型のプレート状物収納箇所１０と左右のプレート状物出入ポケット開閉口１１の布の素材は、身生地と同様の混紡繊維を用いた。
【００４４】
以上のように、図１２〜図２２に示す、本発明のスパッツタイプ１の実施例となる男女兼用下着に用いる、下着本体９の内側に設けた、左右分離型のプレート状物収納箇所１０と単体型のプレート状物収納箇所１０を尾骨部分２３付近から連結させることにより、装着時のフィット感とヒップラインを引き締め、下着本体９のシルエットを崩さないようにした。更に、左右のプレート状物出入ポケット開閉口１１の縫着は、肌に違和感のないように裏布地を折り返して縫着し、マジックテープ（登録商標）を布設して、開閉出来るようにした。尚、下着本体９に設けた、左右分離型のプレート状物収納箇所１０及び単体型のプレート状物収納箇所１０、左右のプレート状物出入ポケット開閉口１１、縫着箇所及び縫合ライン１２、強化ステッチライン１３、ウエストライン縫着ステッチ１４、立体成型及び二重布１５、折り返しステッチ１６の縫合される縫合糸はナイロン６６縫糸の伸縮加工糸を使用した。
【実施例３】
【００４５】
図２３〜図３１に示す、本発明のショーツタイプ２の実施例となる男女兼用下着に用いる伸縮性生地の身生地は（例えば、テンセル、コートルズ社）９５％とポリウレタン繊維５％と混紡したものを用いた。テンセルは、天然繊椎、再生繊維、半合成繊維のどれにも属さない、精製セルロース繊維のため、繊維素系繊維(指定外)１００％などと表示することが決められており 、この混紡繊維の特徴はレーヨン繊維より強度が高く、縮みにくく、吸水性と速乾性に優れておりソフトな肌触りである。更に、図２３及び図３４に示す、ショーツタイプ２の下着本体９前面に強化ステッチライン１３を左右の下前腸骨棘３８から、左右の上前腸骨棘３９に沿って設けることで、左右のプレート状物収納箇所１０に、左右の弾力性のある素材からなるプレート状物３を装着した際に、左右の臀部のフィット性を高めた。
【００４６】
また、図２３〜図３４に示す、ショーツタイプ２の下着本体９前面に強化ステッチライン１３を左右の外腹斜筋３２付近に設けることで、左右のプレート状物収納箇所１０に、左右の弾力性のある素材からなるプレート状物３を装着した際に、左右の臀部のフィット性を高めた。更に、下着本体９後面に強化ステッチライン１３を尾骨部分２３付近から、プレート状物収納箇所１０の中心側面３３部分より連結させて、大殿筋２０の間を縦上方に仙骨部分２７に沿って、湾曲状にウエストライン縫着ステッチ１４に連結させることで、左右のプレート状物収納箇所１０に、弾力性のある素材からなるプレート状物３を装着した際に、臀部の引き締まりを高めた。
【００４７】
次に、図２３〜図３４に示す、ショーツタイプ２の下着本体９の内側に、弾力性のある素材からなるプレート状物３を収納するために設ける、プレート状物収納箇所１０の形成範囲を具体的に説明する。先ず、左右分離型の帯状であり、左右の中心側面３３は、仙骨部分２７を中心として、尾骨部分２３付近から、左右の坐骨部分２２に沿って、湾曲状にやや上向き方向に、左右の股関節２５を通り、左右の小転子２６と左右の大転子２４前面付近の範囲までを、縫着箇所及び縫合ライン１２で縫着しており、又、左右の中心側面３３の縦幅が５ｃｍ、左右の上辺３５の横幅は３２ｃｍ、左右の下辺３６の横幅は２９ｍ、左右の外側面３４の縦幅は５ｃｍの、それぞれ長さが異なる、左右分離型の湾曲状の四辺形である帯状に形成にした。
【００４８】
続いて、図２６〜図３３に示す、ショーツタイプ２の下着本体９の内側に左右分離型のプレート状物収納箇所１０に収納するために用いる、弾力性のある素材からなるプレート状物３は、左右分離型の臀部内側に位置する、軟質ウレタンスポンジ、（ＥＭＳ）５と、左右分離型の臀部外側に位置する、軟質ウレタンスポンジ、（ＥＳＴ−ＣＳ）７を接着して一体化に加工したものを用いた。この軟質ウレタンスポンジ、（ＥＭＳ）５と軟質ウレタンスポンジ、（ＥＳＴ−ＣＳ）７の形体を具体的に説明すると、左右分離型の帯状であり、左右の中心側面３３の縦幅が５ｃｍ、左右の上辺３５の横幅は３２ｃｍ、左右の下辺３６の横幅は２９ｍ、左右の外側面３４の縦幅は５ｃｍにして、それぞれ長さが異なる、左右分離型の湾曲状の四辺形である帯状の形体にした。
【００４９】
そして、図２６〜図３３に示す、左右分離型の臀部内側に位置する、軟質ウレタンスポンジ（ＥＭＳ）５の厚さは、尾骨部分２３と左右の坐骨部分２２付近に接する箇所を３ｍｍ、左右の股関節２５付近に接する箇所を３ｍｍ、左右の小転子２６及び、左右の大転子２４付近に接する箇所を２ｍｍの厚さにした、続いて、左右分離型の臀部外側に位置する、軟質ウレタンスポンジ、（ＥＳＴ−ＣＳ）７の厚さは、尾骨部分２３と左右の坐骨部分２２付近に接する箇所を２ｍｍ、左右の股関節２５付近に接する箇所を１ｍｍ、左右の小転子２６及び左右の大転子２４前面付近に接する箇所を１ｍｍの厚さにして、左右分離型の軟質ウレタンスポンジ、（ＥＭＳ）５と左右分離型の軟質ウレタンスポンジ、（ＥＳＴ−ＣＳ）７を接着して一体化に加工して、ショーツタイプ２の下着本体９の内側に設けた、左右分離型のプレート状物収納箇所１０に挿入され、完全に縫着箇所及び縫合ライン１２で縫着した。また、左右分離型のプレート状物収納箇所１０の裏生地の素材は、身生地と同様の混紡繊維を用いた。
【００５０】
以上のように、図２２〜図３３に示す、本発明のショーツタイプ２の実施例となる男女兼用下着に用いる下着本体９の内側に設けた、左右分離型のプレート状物収納箇所１０の、左右の中心側面３３付近に、下着本体９後面に強化ステッチライン１３を連結させることにより、装着時のフィット感とヒップラインを引き締め、左右の臀部を包み込む肌触りにして下着本体９のシルエットを崩さないようにした。尚、下着本体９の左右のプレート状物収納箇所１０、縫着箇所及び縫合ライン１２、強化ステッチライン１３、ウエストライン縫着ステッチ１４、立体成型及び二重布１５、折り返しステッチ１６の縫合される縫合糸はナイロン６縫糸とポリエステル紡績糸の伸縮加工糸を使用した。
【実施例４】
【００５１】
図２３〜図２５及び図３１に示す、本発明のショーツタイプ２の実施例となる男女兼用下着に用いる伸縮性生地の身生地は、ナイロン繊維７０％とポリウレタン繊維３０％を混紡したものを用いた。この混紡繊維の特徴は伸縮強度が高く、形が壊れにくく、速乾性に優れておりタイトな肌触りである。更に、図３５及び図４７に示す、ショーツタイプ２の下着本体９前面に強化ステッチライン１３を左右の下前腸骨棘３８から、左右の上前腸骨棘３９に沿って設けることで、左右のプレート状物収納箇所１０に、左右の弾力性のある素材からなるプレート状物３を装着した際に、女性の弛みやすい左右の臀部のフィット性を高めた。
【００５２】
次に、図３５〜図４６に示す、ショーツタイプ２の下着本体９の内側に、弾力性のある素材からなるプレート状物３を収納するために設ける、プレート状物収納箇所１０の形成範囲を具体的に説明する。プレート状物収納箇所１０の形成範囲は、左右分離型の帯状と、単体型の帯状の二つの形成が連結されている。先ず、左右分離型の形成範囲は、左右の中心側面３３は、仙骨部分２７を中心として、尾骨部分２３付近から、左右の坐骨部分２２に沿って、湾曲状にやや上向き方向に、左右の股関節２５を通り、左右の小転子２６と左右の大転子２４前面付近の範囲までを、縫着箇所及び縫合ライン１２で縫着しており、又、左右の中心側面３３の縦幅が５ｃｍ、左右の上辺３５の横幅は３２ｃｍ、左右の下辺３６の横幅は２９ｍ、左右の外側面３４の縦幅は５ｃｍの、それぞれ長さが異なる、左右分離型の湾曲状の四辺形である帯状に形成にした。
【００５３】
続いて、図３５〜図４６に示す、プレート状物収納箇所１０の単体型の帯状の形成範囲は、尾骨部分２３付近より、左右のプレート状物収納箇所１０の形成範囲の位置である、左右の中心側面３３部分の間より、縫着箇所及び縫合ライン１２で連結させて、左右の大殿筋２０の間から、縦上方に仙骨部分２７に沿って、ウエストライン縫着ステッチ１４までを、縫着箇所及び縫合ライン１２で縫着して連結しており、又、図４２〜図４４に示す、上辺３５と下辺３６の横幅は４ｃｍ、仙骨部分２７に沿って、縦上方に延びた左右側面３７の縦幅は７．５ｃｍにして、二辺の長さが異なる、単体型のやや弓形の四辺形である帯状の形成にした。
【００５４】
そして、図３８〜図４６に示す、ショーツタイプ２の下着本体９の内側に形成された、左右分離型のプレート状物収納箇所１０に収納するために用いる、弾力性のある素材からなるプレート状物３は、（硬度７０Ｎ）の低反発ウレタンフォーム、（ＥＳＮ−２）６を用いた。この低反発ウレタンフォーム、（ＥＳＮ−２）６の形体を具体的に説明すると、左右分離型の帯状であり、左右の中心側面３３の縦幅が５ｃｍ、左右の上辺３５の横幅は３２ｃｍ、左右の下辺３６の横幅は２９ｍ、左右の外側面３４の縦幅は５ｃｍにして、厚さは、尾骨部分２３と左右の坐骨部分２２付近、左右の股関節２５付近、左右の小転子２６と、左右の大転子２４付近の全て、３ｍｍの厚さにした、左右分離型の湾曲状の四辺形である帯状に形成にした。更に、左右分離型の低反発ウレタンフォーム、（ＥＳＮ−２）６本体に、ポリエステル繊維９０％ポリウレタン繊維１０％からなる布を用いて被覆して縫合し、左右の臀部に違和感のない肌触りにした。
【００５５】
次に、図３８〜図３９に示す、ショーツタイプ２の下着本体９の内側に形成された、単体型のプレート状物収納箇所１０に収納するために用いる、弾力性のある素材からなるプレート状物３は、ジェル状素材シリコーンプレート、（Ｓｉ）８を用いた。このジェル状素材シリコーンプレート、（Ｓｉ）８の形体を具体的に説明すると、単体型の帯状であり、上辺３５と下辺３６の横幅は４ｃｍ、左右側面３７の縦幅は７ｃｍにして、厚さは、尾骨部分２３に接する箇所の下辺３６、左右の大殿筋２０部分の間を、縦上方に仙骨部分２７に沿って接する箇所の左右側面３７、ウエストライン縫着ステッチ１４付近までに接する箇所の上辺３５を同様の２ｍｍの厚さにした、二辺の長さが異なる、単体型のやや弓形の四辺形である帯状の形成にした。
【００５６】
続いて、図３８〜図４２に示す、左右分離型の低反発ウレタンフォーム、（ＥＳＮ−２）６を、ショーツタイプ２の下着本体９の内側に設けた、左右分離型のプレート状物収納箇所１０の、左右のプレート状物出入ポケット開閉口１１から挿入して、出し入れ自在に収納出来るようにした。次に、単体型のジェル状素材シリコーンプレート、（Ｓｉ）８を、ショーツタイプ２の下着本体９の内側に設けた、単体型のプレート状物収納箇所１０の、単体のプレート状物出入ポケット開閉口１１から挿入して、出し入れ自在に収納出来るようにした。尚、ショーツタイプ２の下着本体９の内側に設けた、裏生地の左右分離型のプレート状物収納箇所１０の布の素材及び、左右のプレート状物出入ポケット開閉口１１、又、単体型のプレート状物収納箇所１０とプレート状物出入ポケット開閉口１１の布の素材は、身生地と同様の混紡繊維を用いた。
【００５７】
以上のように、図３５〜図４７に示す、本発明のショーツタイプ２の実施例となる男女兼用下着に用いる、下着本体９の内側に設けた、左右分離型のプレート状物収納箇所１０と単体型のプレート状物収納箇所１０を尾骨部分２３付近から連結させることにより、装着時のタイト感とヒップラインを引き締めるようにした。更に、左右のプレート状物出入ポケット開閉口１１と単体のプレート状物出入ポケット開閉口１１の縫着は、肌に違和感のないように裏布地を折り返して縫着し、フックを布設して、開閉出来るようにした。尚、下着本体９に設けた、左右分離型のプレート状物収納箇所１０及び単体型のプレート状物収納箇所１０、左右のプレート状物出入ポケット開閉口１１、単体のプレート状物出入ポケット開閉口１１縫着箇所及び縫合ライン１２、強化ステッチライン１３、ウエストライン縫着ステッチ１４、立体成型及び二重布１５、折り返しステッチ１６の縫合される縫合糸は、ポリエステル紡績糸の伸縮加工糸を使用した。
【００５８】
以上、図１〜図４７に示す本発明のスパッツタイプ１及びショーツタイプ２の実施例となる男女兼用下着に用いる本発明の具体的な実施例について説明したが、これは下着本体９が人体に装着していない場合（下着本体が伸縮していない状態）のプレート状物収納箇所１０の形成範囲や、弾力性のある素材からなるプレート状物３の形体位置の縦横の幅、厚みの長さを明記しているものであり、下着本体が人体に装着された場合の骨格や筋肉の位置、形、大きさは個体それぞれに応じて若干相違するのである。したがって、下着本体が伸縮した状態の男性用、女性用係らず、図示及び明記したもののみに限定されるものでは
ない。
【図面の簡単な説明】
【００５９】
【図１】本発明の実施の形態の男女兼用下着を示すスパッツタイプの正面図である。
【図２】本発明の実施の形態の男女兼用下着を示すスパッツタイプの後面図である。
【図３】本発明の実施の形態の男女兼用下着を示すスパッツタイプの左側から見た説明図である。
【図４】本発明の実施の形態の男女兼用下着を示すスパッツタイプに用いる弾力性のある素材からなるプレート状物本体の正面から見た説明図である。
【図５】本発明の実施の形態の男女兼用下着を示すスパッツタイプに用いる弾力性のある素材からなるプレート状物本体の断面図である。
【図６】本発明の実施の形態の男女兼用下着を示すスパッツタイプの内側のポケットに弾力性のある素材からなるプレート状物本体を装着した断面図である。
【図７】本発明の実施の形態の男女兼用下着を示すスパッツタイプの内側のポケット開閉口部分と弾力性のある素材からなるプレート状物を装着して下着本体の内側から見た説明図である。
【図８】本発明の実施の形態の男女兼用下着を示すスパッツタイプのポケットに弾力性のある素材からなるプレート状物の装着箇所を示す後から見た説明図である。
【図９】本発明の実施の形態の男女兼用下着を示す人体の左半分の胸部から大腿部を表す筋肉と骨格の側面図及び弾力性のある素材からなるプレート状物の装着箇所を示す側面説明図である。
【図１０】本発明の実施の形態の男女兼用下着を示す左半分が人体のウエストラインから膝関節までの後から見た骨格図、また、右半分が人体のウエストラインから膝関節までの後から見た筋肉図及び弾力性のある素材からなるプレート状物の装着箇所を示す正面から見た説明図である。
【図１１】本発明の実施の形態の男女兼用下着を示す人体の胸部から股下部を表す筋肉と骨格の正面図及びスパッツタイプの逢着箇所を示す正面から見た説明図である。
【図１２】本発明の実施の形態の男女兼用下着を示すスパッツタイプの正面図である。
【図１３】本発明の実施の形態の男女兼用下着を示すスパッツタイプの後面図である。
【図１４】本発明の実施の形態の男女兼用下着を示すスパッツタイプの左側面図である。
【図１５】本発明の実施の形態の男女兼用下着を示すスパッツタイプに用いる弾力性のある素材からなるプレート状物本体の正面図である。
【図１６】本発明の実施の形態の男女兼用下着を示すスパッツタイプのポケットに弾力性のある素材からなるプレート状物本体を装着して縫着した断面図である。
【図１７】本発明の実施の形態の男女兼用下着を示すスパッツタイプのポケットに弾力性のある素材からなるプレート状物本体を装着した断面図である。
【図１８】本発明の実施の形態の男女兼用下着を示すスパッツタイプのポケット開閉口部分と弾力性のある素材からなるプレート状物を装着した正面図である。
【図１９】本発明の実施の形態の男女兼用下着を示すスパッツタイプのポケットに弾力性のある素材からなるプレート状物の装着箇所を示す後面図である。
【図２０】本発明の実施の形態の男女兼用下着を示す人体の左半分の胸部から大腿部を表す筋肉と骨格の側面図及び弾力性のある素材からなるプレート状物の装着箇所を示す側面図である。
【図２１】本発明の実施の形態の男女兼用下着を示す左半分が人体のウエストラインから膝関節までの後から見た骨格図、また、右半分が人体のウエストラインから膝関節までの後から見た筋肉図及び弾力性のある素材からなるプレート状物の装着箇所を示す正面図である。
【図２２】本発明の実施の形態の男女兼用下着を示す人体の胸部から股下部を表す筋肉と骨格の正面図及びスパッツタイプの逢着箇所を示す正面図である。
【図２３】本発明の実施の形態の男女兼用下着を示すショーツタイプの正面図である。
【図２４】本発明の実施の形態の男女兼用下着を示すショーツタイプの後面図である。
【図２５】本発明の実施の形態の男女兼用下着を示すショーツタイプの左側面図である。
【図２６】本発明の実施の形態の男女兼用下着を示すショーツタイプに用いる弾力性のある素材からなるプレート状物本体の正面図である。
【図２７】本発明の実施の形態の男女兼用下着を示すショーツタイプに用いる弾力性のある素材からなるプレート状物本体の断面図である。
【図２８】本発明の実施の形態の男女兼用下着を示ショーツタイプのポケットに弾力性のある素材からなるプレート状物本体を装着した断面図である。
【図２９】本発明の実施の形態の男女兼用下着を示すショーツタイプにプレート状物収納箇所と弾力性のある素材からなるプレート状物を装着して縫着した正面図である。
【図３０】本発明の実施の形態の男女兼用下着を示すショーツタイプのポケットに弾力性素材の弾力性のある素材からなるプレート状物を示す後面図である。
【図３１】本発明の実施の形態の男女兼用下着を示すショーツタイプの底面図である。
【図３２】本発明の実施の形態の男女兼用下着を示す人体の左半分の胸部から大腿部を表す筋肉と骨格の側面図及び弾力性のある素材からなるプレート状物の装着箇所を示す側面図である。
【図３３】本発明の実施の形態の男女兼用下着を示す左半分が人体のウエストラインから膝関節までの後から見た骨格図、また、右半分が人体のウエストラインから膝関節までの後から見た筋肉図及び弾力性のある素材からなるプレート状物の装着箇所を示す正面図である。
【図３４】本発明の実施の形態の男女兼用下着を示す人体の胸部から股下部を表す筋肉と骨格の正面図及びショーツタイプの弾力性のある素材からなるプレート状物を示す正面図である。
【図３５】本発明の実施の形態の男女兼用下着を示すショーツタイプの正面図である。
【図３６】本発明の実施の形態の男女兼用下着を示すショーツタイプの後面図である。
【図３７】本発明の実施の形態の男女兼用下着を示すショーツタイプの左側面図である。
【図３８】本発明の実施の形態の男女兼用下着を示すショーツタイプに用いる弾力性のある素材からなるプレート状物本体の正面図である。
【図３９】本発明の実施の形態の男女兼用下着を示ショーツタイプのポケットに弾力性のある素材からなるプレート状物本体を装着した断面図である。
【図４０】本発明の実施の形態の男女兼用下着を示すショーツタイプに用いる弾力性のある素材からなるプレート状物本体の断面図である。
【図４１】本発明の実施の形態の男女兼用下着を示ショーツタイプのポケットに弾力性のある素材からなるプレート状物本体を装着した断面図である。
【図４２】本発明の実施の形態の男女兼用下着を示すショーツタイプにプレート状物収納箇所と弾力性のある素材からなるプレート状物を装着した正面図である。
【図４３】本発明の実施の形態の男女兼用下着を示すショーツタイプのポケットに弾力性のある素材からなるプレート状物の装着箇所を示す後面図である。
【図４４】本発明の実施の形態の男女兼用下着を示すショーツタイプの底面図である。
【図４５】本発明の実施の形態の男女兼用下着を示す人体の左半分の胸部から大腿部を表す筋肉と骨格の側面図及び弾力性のある素材からなるプレート状物の装着箇所を示す側面図である。
【図４６】本発明の実施の形態の男女兼用下着を示す左半分が人体のウエストラインから膝関節までの後から見た骨格図、また、右半分が人体のウエストラインから膝関節までの後から見た筋肉図及び弾力性のある素材からなるプレート状物の装着箇所を示す正面図である。
【図４７】本発明の実施の形態の男女兼用下着を示す人体の胸部から股下部を表す筋肉と骨格の正面図及びショーツタイプの逢着箇所を示す正面図である。
【符号の説明】
【００６０】
１スパッツタイプ
２ショーツタイプ
３弾力性のある素材からなるプレート状物
４低反発ウレタンフォーム、（ＥＧＲ−１２）
５軟質ウレタンスポンジ、（ＥＭＳ）
６低反発ウレタンフォーム、（ＥＳＮ−２）
７軟質ウレタンスポンジ、（ＥＳＴ−ＣＳ）
８ジェル状素材シリコーンプレート、（Ｓｉ）
９下着本体  
１０プレート状物収納箇所
１１プレート状物出入ポケット開閉口
１２縫着箇所及び縫合ライン
１３強化ステッチライン
１４ウエストライン縫着ステッチ
１５立体成型及び二重布
１６折り返しステッチ
１７小型ファスナー
１８フック
１９マジックテープ（登録商標）
２０大殿筋
２１中殿筋
２２座骨部分
２３尾骨部分
２４大転子
２５股関節
２６小転子
２７仙骨部分
２８大腿骨
２９大腿筋膜張筋
３０内転筋群
３１腹直筋
３２外腹斜筋
３３中心側面
３４外側面
３５上辺
３６下辺
３７左右側面
３８上前腸骨棘
３９下前腸骨棘  
【図１】
2006283265.tif 000003
【図２】
2006283265.tif 000004
【図３】
2006283265.tif 000005
【図４】
2006283265.tif 000006
【図５】
2006283265.tif 000007
【図６】
2006283265.tif 000008
【図７】
2006283265.tif 000009
【図８】
2006283265.tif 000010
【図９】
2006283265.tif 000011
【図１０】
2006283265.tif 000012
【図１１】
2006283265.tif 000013
【図１２】
2006283265.tif 000014
【図１３】
2006283265.tif 000015
【図１４】
2006283265.tif 000016
【図１５】
2006283265.tif 000017
【図１６】
2006283265.tif 000018
【図１７】
2006283265.tif 000019
【図１８】
2006283265.tif 000020
【図１９】
2006283265.tif 000021
【図２０】
2006283265.tif 000022
【図２１】
2006283265.tif 000023
【図２２】
2006283265.tif 000024
【図２３】
2006283265.tif 000025
【図２４】
2006283265.tif 000026
【図２５】
2006283265.tif 000027
【図２６】
2006283265.tif 000028
【図２７】
2006283265.tif 000029
【図２８】
2006283265.tif 000030
【図２９】
2006283265.tif 000031
【図３０】
2006283265.tif 000032
【図３１】
2006283265.tif 000033
【図３２】
2006283265.tif 000034
【図３３】
2006283265.tif 000035
【図３４】
2006283265.tif 000036
【図３５】
2006283265.tif 000037
【図３６】
2006283265.tif 000038
【図３７】
2006283265.tif 000039
【図３８】
2006283265.tif 000040
【図３９】
2006283265.tif 000041
【図４０】
2006283265.tif 000042
【図４１】
2006283265.tif 000043
【図４２】
2006283265.tif 000044
【図４３】
2006283265.tif 000045
【図４４】
2006283265.tif 000046
【図４５】
2006283265.tif 000047
【図４６】
2006283265.tif 000048
【図４７】
2006283265.tif 000049
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
人体の臀部にフィットさせて着用する伸縮性生地からなる衣類であって、前記衣類は弾力性のある素材からなるプレート状物を、ほぼ大殿筋の範囲である仙骨を中心として尾骨部分と坐骨部分より股関節及び小転子と大転子部分に相当する位置に前記衣類の内側の曲面に沿って付設したポケットに出入自在としたことを特徴とする男女兼用下着。
【手続補正２】
【補正対象書類名】明細書
【補正対象項目名】００１３
【補正方法】変更
【補正の内容】
【００１３】
そこで、本発明は日常時の着用時に尾骨部分と坐骨部分の痛みや、痔の痛み、また股関節及び小転子と大転子の保護、さらに男性の下着に対する布地素材の種類の少なさなどの問題を解決し、上記のような点に鑑みて開発されたものであって、より快適な装着感や保温性を保つ男女兼用下着を提供する事を目的としている。
【手続補正３】
【補正対象書類名】明細書
【補正対象項目名】００２１
【補正方法】削除
【補正の内容】
【手続補正４】
【補正対象書類名】明細書
【補正対象項目名】００２９
【補正方法】変更
【補正の内容】
【００２９】
以上のように、本発明によれば、下着本体の内側にポケットを設け、プレート状物を出入可能とすることで、不使用時に衣類を別々に洗濯やメンテナンスすることができ、極めて有益であり、個人の要望に応じることが出来、ほぼ大殿筋の範囲である仙骨を中心として尾骨部分と坐骨部分より股関節及び小転子と大転子部分に相当する位置に長時間の着席時も、おしりの痛みが少なく爽快な着心地であり、下着本体の素材を選定して使用することで保温性と、しなやかな肌触りを保持することができる。